(57)【要約】【課題】高輝度で耐衝撃性の高いバックライト装置、特に、テレビ受像機などの大画面からなる画像表示装置に好適なバックライト装置を提供することを目的とする。【解決手段】同一平面内で互いに平行に配列された多数の線状光源５と、線状光源の両端部を支持するランプ支持部４と、隣接する線状光源５間に配置された光源保護部６１とを備えて構成される。光源保護部６１は、通常時には線状光源５が当接せず、外部から衝撃を受けて撓んだ線状光源５が当接する位置に配置されるため、輝度低下や輝度むらを発生させることなく、歪み限界を超える線状光源５の撓みや線状光源５同士の衝突を防止している。【選択図】          図１
2005019065.tif 000002
【特許請求の範囲】
【請求項１】
同一平面内で互いに平行に配列された多数の線状光源と、
線状光源の両端部を支持するランプ支持部と、
隣接する線状光源間に配置された光源保護部とを備え、
上記光源保護部は、通常時には線状光源が当接せず、外部から衝撃を受けて撓んだ線状光源が当接する位置に配置されることを特徴とするバックライト装置。
【請求項２】
上記光源保護部は、線状光源が歪み限界へ到達する前に当接し、線状光源の撓みを歪み限界以下に保持することを特徴とする請求項１に記載のバックライト装置。
【請求項３】
上記光源保護部は、線状光源の撓み方向について衝撃吸収性を有することを特徴とする請求項１に記載のバックライト装置。
【請求項４】
上記光源保護部は、線状光源の中央部に配置されていることを特徴とする請求項１に記載のバックライト装置。
【請求項５】
上記光源保護部は、線状光源に平行に配置された可撓性を有するシート状部材からなることを特徴とする請求項１に記載のバックライト装置。
【請求項６】
上記光源保護部は、前面側へ向けて幅を狭小化させたテーパー形状からなることを特徴とする請求項５に記載のバックライト装置。
【請求項７】
上記光源保護部は、表面反射率が９６％以上の高反射率部材からなることを特徴とする請求項５に記載のバックライト装置。
【請求項８】
発光面としての開口部を前面に有する薄型筐体と、
発光面に平行な同一平面内で互いに平行に配列された多数の線状光源と、
線状光源よりも背面側に配置され、線状光源から背面側へ出射された光を反射するための反射シートと、
線状光源の両端部を支持するランプ支持部と、
隣接する線状光源間に配置された光源保護部とを備え、
上記光源保護部は、反射シートと一体成型されるとともに、通常時には線状光源が当接せず、外部から衝撃を受けて撓んだ線状光源が当接する位置に配置されることを特徴とするバックライト装置。
【請求項９】
発光面としての開口部を前面に有する薄型筐体と、
発光面に平行な同一平面内で互いに平行に配列された多数の線状光源と、
線状光源の両端部を支持するランプ支持部と、
隣接する線状光源間に配置された光源保護部とを備え、
上記光源保護部は、薄型筐体の背面側内部に一体成型されるとともに、通常時には線状光源が当接せず、外部から衝撃を受けて撓んだ線状光源が当接する位置に配置されることを特徴とするバックライト装置。
【請求項１０】
透過光を制御して画像を表示する透過型表示パネルと、透過型画像表示パネルの背面側に配置されたバックライト装置からなる画像表示装置において、
上記バックライト装置が、同一平面内で互いに平行に配列された多数の線状光源と、線状光源の両端部を支持するランプ支持部と、隣接する線状光源間に配置された光源保護部とを備え、
上記光源保護部は、通常時には線状光源が当接せず、外部から衝撃を受けて撓んだ線状光源が当接する位置に配置されることを特徴とする画像表示装置。
【請求項１１】
上記透過型表示パネルが液晶表示パネルからなることを特徴とする請求項１０に記載の画像表示装置。
【請求項１２】
上記線状光源は、使用時において同一の垂直面内でそれぞれが水平方向に配置され、
上記光源保護部は、自重により撓んだ線状光源が当接しないことを特徴する請求項１０に記載の画像表示装置。
【請求項１３】
上記光源保護部は、落下時に撓んだ上側の線状光源が当接する位置に配置されることを特徴とする請求項１２に記載の画像表示装置。
【発明の詳細な説明】
【０００１】
【発明の属する技術分野】
本発明は、バックライト装置及び画像表示装置に係り、さらに詳しくは、液晶表示パネルなどの透過型表示パネルとともに使用されるバックライト装置の改良、特に、多数の線状光源を内蔵した直下型バックライト装置の改良に関する。
【０００２】
【従来の技術】
一般に、液晶表示装置は、他の表示装置に比べて、薄型化、軽量化が可能であるとともに、低消費電力であるという優れた特長を有している。このため、現在では画像表示装置、例えば、コンピュータのディスプレイ装置や携帯端末の表示装置として広く普及している。さらに、最近では、テレビ受像機にも採用されつつある。
【０００３】
液晶表示装置は、ＣＲＴ（Ｃａｔｈｏｄｅ  Ｒａｙ  Ｔｕｂｅ）、ＰＤＰ（Ｐｌａｓｍａ  Ｄｉｓｐｌａｙ  Ｐａｎｅｌ）などの表示装置とは異なり、画像情報を出力する液晶パネル自身は発光しない。このため、外部の光を反射し、あるいは、透過させることによって画像表示を行っている。
【０００４】
外来光を選択的に反射して画像表示を行う液晶表示装置は、反射型と呼ばれている。反射型の液晶表示装置は光源を必要とせず、特に低消費電力であることから携帯端末などの表示装置として適しているが、画面の明るさは周辺光量に左右される。これに対し、液晶パネルの背面側にバックライトと呼ばれる光源装置を配置し、この光源光を選択的に透過させて画像表示を行う液晶表示装置は透過型と呼ばれ、安定して明るい画面を実現することができる。
【０００５】
透過型の液晶表示装置に用いられるバックライト装置には、液晶パネルの画像表示領域を概ね均一に照射する発光面を有し、薄型の形状からなる光源装置が用いられる。この様なバックライト装置には、サイドライト型と直下型がある。
【０００６】
サイドライト型のバックライト装置は、線状光源を装置内の端部に配置し、その光源光を内部で反射させて面状光源として利用している。一方、直下型は、多数の線状光源を発光面内に概ね均一に配列して面状光源として利用している。このため、薄型化にはサイドライト方式が有利であるが、高輝度化には直下型の方が有利となる。つまり、液晶表示装置を用いて高輝度の表示装置を実現しようとする場合には、透過型液晶パネル及び直下型バックライト装置の組み合わせが用いられる。
【０００７】
一般に、テレビ受像機では、コンピュータや携帯端末などの表示装置に比べて、高輝度かつ大画面であることが求められ、サイドライト方式のバックライト装置を用いたのでは輝度が不足する。このため、液晶表示装置を用いたテレビ受像機の場合、透過型の液晶パネルと直下型バックライトとの組み合わせにより構成される場合が多い。
【０００８】
通常、バックライト装置の線状光源には蛍光放電管が用いられている。この蛍光放電管は画面サイズに応じた長さのものを用いる必要があり、大画面の画像表示装置になるほど、バックライト装置には長い蛍光放電管が用いられる。例えば、３０インチのテレビ受像機の場合、直径３〜４ｍｍ、長さ７００ｍｍの蛍光放電管が用いられる。
【０００９】
バックライト装置内部では、蛍光放電管を両端で支持していることから、蛍光放電管が長くなるほど、その自重や外部からの衝撃によって蛍光放電管は撓み易くなる。このため、大画面用のバックライト装置では、蛍光放電管が破損し易いという問題があった。すなわち、液晶表示装置を落下させた時のように、バックライト装置に大きな衝撃加速度が加えられた場合、蛍光放電管が歪み限界を超えて撓み、あるいは、隣接する蛍光放電管と接触することによって破損することがある。この傾向は大画面用のバックライト装置ほど顕著となる。
【００１０】
蛍光放電管の撓みによる破損を防止しようとする場合、蛍光放電管を両端以外で支持することが考えられる。しかしながら、蛍光放電管の発光部に支持部材を接触させた場合、その接触部分の温度が下がることにより、蛍光放電管の輝度が低下する。このため、バックライト装置の輝度が低下し、あるいは、表示画面内での輝度むらになるという問題があった。
【００１１】
蛍光放電管の破損を防止するための構造を有する従来のバックライト装置が、例えば、特許文献１及び特許文献２に開示されている。特許文献１のバックライト装置は、蛍光放電管をシリコ−ン樹脂に埋め込むことにより、機械的ストレス耐性を向上させている。また、特許文献２のバックライト装置は、蛍光放電管をシリコンゴム塊に埋め込むことにより、蛍光放電管を弾性的に支え、衝撃による蛍光放電管の破損を防止している。しかしながら、これらのバックライト装置は、蛍光放電管の全面にシリコーン樹脂又はシリコンゴムを接触させているため、蛍光放電管の輝度が大きく損なわれていると考えられる。
【００１２】
【特許文献１】
特開平５−３２３３１２号公報
【特許文献２】
特開平１０−１２３５１６号公報
【００１３】
【発明が解決しようとする課題】
本発明は、上記の事情に鑑みてなされてものであり、バックライト装置の耐衝撃性を向上させることを目的とする。また、表示品質を顕著に低下させることなく、バックライト装置の耐衝撃性を向上させることを目的とする。例えば、高輝度で耐衝撃性の高いバックライト装置を提供することを目的とする。また、輝度むらが少なく、耐衝撃性の高いバックライト装置を提供することを目的とする。さらに、テレビ受像機などの大画面からなる画像表示装置に好適なバックライト装置を提供することを目的とする。
【００１４】
【課題を解決するための手段】
本発明によるバックライト装置は、同一平面内で互いに平行に配列された多数の線状光源と、線状光源の両端部を支持するランプ支持部と、隣接する線状光源間に配置された光源保護部とを備え、上記光源保護部が、通常時には線状光源が当接せず、外部から衝撃を受けて撓んだ線状光源が当接する位置に配置される。この様な構成により、顕著な輝度低下や輝度むらを発生させることなく、線状光源の過度の撓みや線状光源同士の衝突を防止し、あるいは、抑制することができる。従って、表示品質を低下させることなく、バックライト装置の耐衝撃性を向上させることができる。
【００１５】
また、本発明によるバックライト装置は、上記光源保護部が、線状光源が歪み限界へ到達する前に当接し、線状光源の撓みを歪み限界以下に保持するように構成される。この様な構成により、歪み限界を超えて線状光源が撓むのを防止するし、耐衝撃性を向上させることができる。
【００１６】
また、本発明によるバックライト装置は、上記光源保護部が、線状光源の撓み方向について衝撃吸収性を有するように構成される。この様な構成により、大きな衝撃加速度が加えられた場合に、線状光源が光源保護部に当接することによって破損するのを防止することができる。
【００１７】
また、本発明によるバックライト装置は、上記光源保護部が、線状光源の中央部に配置されている。変位量が最大となる線状光源の中央部に光源保護部を設けることにより、線状光源の破損を効果的に防止することができる。
【００１８】
また、本発明によるバックライト装置は、上記光源保護部が、線状光源に平行に配置された可撓性を有するシート状部材からなる。この様な構成により、線状光源のピッチが狭い場合でも、光源保護装置を容易に配置することができる。また、簡単な構成により、光源保護部に適度な衝撃吸収性を持たせることができる。
【００１９】
また、本発明によるバックライト装置は、上記光源保護部が、前面側へ向けて幅を狭小化させたテーパー形状からなる。また、上記光源保護部が、表面反射率が９６％以上の高反射率部材からなる。この様な構成により、外部から光源保護部を視認しにくくすることができ、発光面の均一性を向上させることができる。
【００２０】
また、本発明によるバックライト装置は、発光面としての開口部を前面に有する薄型筐体と、線状光源よりも背面側に配置され、線状光源から背面側へ出射された光を反射するための反射シートとを備え、上記光源保護部が反射シートと一体成型される。この様な構成により、部品点数を削減し、光源保護部の追加による製造コストの上昇を抑制することができる。特に、反射シート及び光源保護部がともに高反射率の素材からなる場合に効果的である。
【００２１】
また、本発明によるバックライト装置は、発光面としての開口部を前面に有する薄型筐体と、上記光源保護部は、薄型筐体の背面側内部に一体成型される。この様な構成により、部品点数を削減し、光源保護部の追加による製造コストの上昇を抑制することができる。
【００２２】
また、本発明による画像表示装置は、透過光を制御して画像を表示する透過型表示パネルと、透過型画像表示パネルの背面側に配置されたバックライト装置からなる画像表示装置である。このバックライト装置は、同一平面内で互いに平行に配列された多数の線状光源と、線状光源の両端部を支持するランプ支持部と、隣接する線状光源間に配置された光源保護部とを備え、上記光源保護部が、通常時には線状光源が当接せず、外部から衝撃を受けて撓んだ線状光源が当接する位置に配置される。この様な構成により、耐衝撃性の高い画像表示装置を提供することができる。
【００２３】
また、本発明による画像表示装置は、上記透過型表示パネルが液晶表示パネルからなる。この様な構成により、耐衝撃性の高い液晶表示装置を提供することができる。
【００２４】
また、本発明による画像表示装置は、上記線状光源が、使用時において同一の垂直面内でそれぞれが水平方向に配置され、上記光源保護部が、自重により撓んだ線状光源が当接しないように構成される。この様な構成により、自重による撓みを考慮することにより、使用時における輝度低下を防止することができる。
【００２５】
また、本発明による画像表示装置は、上記光源保護部が、落下時に撓んだ上側の線状光源が当接する位置に配置される。この様な構成により、大きな衝撃が加わる落下時の衝撃性を向上させることができる。
【００２６】
【発明の実施の形態】
実施の形態１．
図１は、本発明の実施の形態１によるバックライト装置の一構成例を示した分解斜視図である。このバックライト装置１は、フロントフレーム２及びリアフレーム８からなる筐体内に、３枚の光学シート３、ランプ支持台４、多数の冷陰極線管５、スペーサーユニット６、反射シート７を収納して構成される。
【００２７】
フロントフレーム２は成型加工された樹脂からなり、リアフレーム８と嵌合してバックライト装置１の薄型筐体を構成している。このフロントフレーム２の前面には、矩形の開口部２Ｈが形成されており、この開口部２Ｈがバックライト装置１の発光面（出光面）となる。一方、リアフレーム８は、アルミなどの金属板をプレス加工して形成される。リアフレーム８の背面側（外側）には、インバータ回路を含む冷陰極線管５の駆動回路（不図示）が設けられ、金属製のリアフレーム８は、この駆動回路からのノイズをシールドしている。
【００２８】
光学シート３は、前面内側の少なくとも開口部２Ｈに対応する領域に配置され、発光面からの出射光を均一化し、あるいは、高輝度化するための光学補正シートである。図中の光学シート３は、出射光を拡散させて発光面の輝度を均一化させるための拡散シート３１と、出射光に指向性をもたせて輝度を向上させるためのプリズムシート３２と、液晶表示パネルの偏光板（不図示）によって吸収される偏光成分を予め反射して再利用することにより輝度を向上させるための偏光分離シート３３からなる。バックライト装置１では、これらのシートのいずれか、あるいは、２以上を必要に応じて組み合わせた光学シート３が用いられている。
【００２９】
冷陰極線管５は、両端に電極を有する線状光源であり、これらの電極間に所定の放電開始電圧以上の電圧を印加することによって点灯する蛍光放電管の一種である。一般に、冷陰極線管は、高周波点灯した際のちらつきが比較的少ないことから、バックライト装置用の光源として広く用いられている。このバックライト装置１は直下型であり、多数の冷陰極線管５が発光面に対応する領域におおむね均一に配置されている。
【００３０】
２個のランプ支持台４は、バックライト装置１の対向する側面に設けられ、各冷陰極線管５を両端で支持している。すなわち、バックライト装置１内において、冷陰極線管５は両端の電極部のみがランプ支持台４により固定され、その他の部分（特に発光部分）は他の部材に接触しないように浮かせた状態で配置されている。
【００３１】
点灯時における冷陰極線管５の発光部の表面温度は５０〜６０℃程度であり、この発光部の温度が低下すると冷陰極線管５の輝度が低下してしまう。このため、冷陰極線管５を電極部においてのみ支持し、発光部に他の部材を当接させないようにすることにより、発光部から熱が奪われず、冷陰極線管５を本来の輝度で明るく点灯させることができる。
【００３２】
反射シート７は、折り曲げ可能な高反射率の素材、例えば、表面反射率が９６％以上の素材が用いられる。反射シート７は、両端部が折り曲げられ、バックライト装置１内の背面及び冷陰極線管５に平行な側面に配置され、冷陰極線管５から発光面以外の方向に向けて出射された光を反射して再利用可能にしている。
【００３３】
スペーサーユニット６は、スペーサーベース６０と、スペーサーピン６１及び６２により構成され、いずれも反射シート７と同様の高反射率の素材、例えば、表面反射率が９６％以上の素材が用いられる。スペーサーピン６１及び６２の表面反射率は、反射シート７の表面反射率以上であることが望ましい。
【００３４】
スペーサーピン６１及び６２は、冷陰極線管５の破損を防止するためのランプ保護部であり、隣接する冷陰極線管５の隙間に配置される。多数のスペーサーピン６１は、各スペーサーピン６１の間隔を規定するスペーサーベース６０と一体成形され、櫛歯形状のスペーサー本体を構成している。一方、スペーサーピン６２は、スペーサー本体から独立した部品であり、リアフレーム８に取り付けられている。
【００３５】
バックライト装置１内におけるスペーサー本体の位置決めは、スペーサーピン６２を反射シート７のスペーサーピン貫通口７Ｈに貫通させ、さらにスペーサー本体（スペーサーベース６０）のスペーサーピン貫通口６Ｈに貫通させることにより行われている。なお、スペーサーピン貫通口７Ｈ及び６Ｈを貫通させたスペーサーピン６２も、スペーサーピン６１と全く同様のランプ保護部として機能させている。
【００３６】
すなわち、このバックライト装置１では、各スペーサーピン６１の相対位置がスペーサーベース６０により規定され、バックライト装置１内におけるスペーサーピン６１の絶対位置がスペーサーピン６２によって規定されている。
【００３７】
大画面の画像表示装置に用いられるバックライト装置１の場合、その冷陰極線管５が細くて長く、バックライト装置１を安置している状態であっても、自重により多少の撓みが生じている。そして、バックライト装置１に衝撃が加えられた場合にはより大きな撓みが生じる。例えば、画像表示装置を落下させたような場合、バックライト装置１内の冷陰極線管５が大きく撓む。
【００３８】
冷陰極線管５の大部分を占める発光部は、通常、肉厚の薄いガラス管からなり可撓性に乏しい。このため、歪み限界を超えて冷陰極線管５が撓んだ場合には、ガラス管が割れてしまう。また、隣接する冷陰極線管５同士が衝突した場合にも、ガラス管は容易に割れてしまう。このため、スペーサーピン６１及び６２が、冷陰極線管５が歪み限界を超えるのを防止して、冷陰極線管５の破損を防止している。
【００３９】
図２は、図１のバックライト装置を発光面側から見た正面図である。この図では、光学シート３を取り外し、開口部２Ｈから内部を見たときの様子が示されている。また、図３は、図１のバックライト装置の断面図であり、冷陰極線管に垂直な切断面Ｉ−Ｉにおける断面図が示されている。
【００４０】
冷陰極線管５の円形断面から出射された光の一部は、直接、光学シート３を介して開口部２Ｈから出射される。その他の光も大部分は、高反射率の反射シート７及びスペーサーユニット６で反射された後、光学シート３を介して開口部２Ｈから出射される。
【００４１】
開口部２Ｈに対応する領域内において、線状光源である冷陰極線管５を均一に配置するため、開口部２Ｈの幅に相当する長さの冷陰極線管５が、所定の間隔をおいて開口部２Ｈの幅方向に配置されている。つまり、多数の冷陰極線管５が、所定間隔をおいて互いに平行となるように、発光面に平行な同一面内に配置されている。
【００４２】
各冷陰極線管５の隙間には、スペーサーピン６１及び６２が配置されている。これらのスペーサーピン６１，６２は、冷陰極線管５に対して適度な距離をおいて配置されている。すなわち、通常時には冷陰極線管５に当接せず、かつ、バックライト装置１に衝撃や振動が加えられた場合には、撓んだ冷陰極線管５が当接する位置に配置されている。
【００４３】
テレビ受像機などに用いられる大型の画像表示装置は、通常、安定した場所に設置された静止状態（安置状態）で使用される。従って、この種の画像表示装置に用いられるバックライト装置も、安置状態において使用されるのが通常であり、このような使用状態において所望の発光品質を確保することが求められる。
【００４４】
冷陰極線管５に当接しない位置にスペーサーピン６１，６２を配置することにより、通常時の冷陰極線管５は、両端の電極部がランプ支持台４のみにより支持され、その他の発光部は光学シート３、スペーサーユニット６、反射シート７などの周辺部材に接触せず、中空に浮いた状態となる。このため、発光部の温度を低下させることなく、冷陰極線管５を高輝度で点灯させることができる。
【００４５】
一方、これらのスペーサーピン６１，６２は、バックライト装置１に大きな衝撃加速度が加えられて撓んだ冷陰極線管５が当接する位置に配置されている。このため、各冷陰極線管５が過度に撓むのを抑制し、あるいは、冷陰極線管５同士の衝突を防止することができる。従って、バックライト装置１に衝撃や振動が加えられた場合における冷陰極線管５の破損を防止することができる。
【００４６】
スペーサーピン６１，６２は、可撓性を有する薄い部材（シート状部材）からなり、冷陰極線管５に平行となるように配置されている。スペーサーピン６１，６２にシート状部材を用いることによって、冷陰極線管５のピッチが短い場合でも、冷陰極線管５の隙間にスペーサーピン６１，６２を容易に挿入することができる。
【００４７】
また、シート状であることに加え、スペーサーピン６１，６２が可撓性を有することにより、冷陰極線管５がスペーサーピン６１，６２へ当接する際、冷陰極線管５が破損するのを防止している。つまり、スペーサーピン６１，６２は、冷陰極線管５の撓み方向について衝撃吸収性を有し、撓んだ冷陰極線管５がスペーサーピン６１，６２に当接したときの衝撃を吸収している。通常、冷陰極線管５は、数ｇ程度の重量からなり、スペーサーピン６１，６２として可撓性を有するシート状部材を用いれば、当接により冷陰極線管５を破損しない程度の衝撃吸収性を備えつつ、冷陰極線管５の撓みを抑制することができる。
【００４８】
さらに、スペーサーユニット６は、開口部２Ｈのほぼ中央に、冷陰極線管５と直交する方向に配置されている。このため、各スペーサーピン６１及び６２は、撓みによる発光部の変位量が最も大きくなる冷陰極線管５の中央部に配置され、冷陰極線管５の過度の撓みや、冷陰極線管５同士の衝突を効果的に抑制することができる。
【００４９】
例えば、テレビ受像機を誤って落下させた場合、当該テレビ受像機に内蔵されているバックライト装置には大きな衝撃加速度が加えられる。このような場合、従来のバックライト装置では内部の冷陰極線管が破損してしまうおそれがあるが、このバックライト装置１では、スペーサーピン６１，６２が冷陰極線管５を保護するため破損し難くなる。
【００５０】
図４は、図１のバックライト装置の断面図であり、冷陰極線管に平行な切断面ＩＩ−ＩＩにおける断面図が示されている。各スペーサーピン６１，６２は、前面側の幅が背面側の幅よりも狭くなるテーパー形状からなり、背面側でスペーサーベース６０又はリアフレーム８に支持され、前面側は光学シート３の近傍まで伸びている。
【００５１】
スペーサーピン６１，６２が外部から視認される場合には輝度むらとなるが、スペーサーピン６１，６２としてシート状部材を用いることにより、スペーサーピン６１，６２が外部から視認し難くすることができる。特に、外部から視認されやすいのは、発光面に近いスペーサーピン６１，６２の前面側であるため、前面側の幅を狭くすることにより、更に外部から視認され難くすることができる。この様な形状としては、図示した三角形の形状が好適であるが、他の形状であってもよい。
【００５２】
また、スペーサーピン６１，６２を光学シート３の近傍まで伸延させ、あるいは、当接させることにより、スペーサーピン６１，６２により、光学シートを支持させることもできる。つまり、光学シートの中央部が、バックライト装置１の内側に向けて撓むのを防止することができる。
【００５３】
図５は、図１のバックライト装置を用いたテレビ受像機の一構成例を示した概略図である。この画像表示装置は、透過型画像表示パネルとしての液晶パネル１０と、バックライト装置１とにより構成される。通常のテレビ受像機では、その他の周辺回路等とともに筐体に収納されているが、図５では省略し図示していない。
【００５４】
バックライト装置１は、その発光面を液晶パネル１０の画像表示領域に一致させて、液晶パネル１０の背面側に取り付けられる。このテレビ受像機の通常の使用時の状態において、バックライト装置１内の各冷陰極線管５は、同一の垂直面内において水平方向に配置されている。このため、使用時における冷陰極線管５は自重により僅かに撓んだ状態になっている。
【００５５】
図６は、スペーサーピン６１，６２と冷陰極線管５との距離について説明するための説明図である。冷陰極線管５は波線及び実線により示されており、波線が撓んでいないときの位置、実線が自重により撓んでいるときの位置である。Ｌ１は、自重により撓んだ冷陰極線管５に関する中央部の変位量である。Ｌ２は、冷陰極線管５とその下側に隣接するスペーサーピン６１との距離、Ｌ３は冷陰極線管５とその上側に隣接するスペーサーピン６１との距離である。
【００５６】
スペーサーピン６１は、自重により撓んだ冷陰極線管５が当接しない位置に配置されている。つまり、スペーサーピン６１は、撓みのない冷陰極線管５からＬ１よりも離れた位置に配置されている。３０インチのテレビ受像機用の冷陰極線管５の場合、Ｌ１は１ｍｍ程度である。
【００５７】
また、スペーサーピン６１は、衝撃によって、上側に隣接する冷陰極線管５が撓んだ場合に、その歪み限界を超える前に当該冷陰極線管５が当接する位置に配置されている。つまり、撓みのない冷陰極線管５から下側のスペーサーピン６１までの距離Ｌ２は、冷陰極線管５の歪み限界よりも短い距離とされる。３０インチのテレビ受像機用の冷陰極線管５の場合、実験によれば、その歪み限界は２０〜３０ｍｍ程度であることからＬ２＜２０ｍｍであることが望ましい。
【００５８】
スペーサーピン６１と、下側に隣接する冷陰極線管５との距離Ｌ３は、冷陰極線管５が配置されるピッチによって決定される。テレビ受像機を落下させた場合、その着地時には上向きに大きな衝撃加速度が加えられ、中空に浮いている冷陰極線管５の発光部は大きく下向きに撓むことになる。従って、この場合には、冷陰極線管５と、その下側のスペーサーピン６１との距離が特に重要であり、冷陰極線管５のピッチが優先的に決定される場合には、使用時におけるスペーサーピン６１が下側の冷陰極線管５に当接していなければよい。
【００５９】
ただし、逆向きの衝撃加速度が加えられる場合、例えば、上下を逆にした状態で落下させたり、運搬中に大きな振動が加えられた場合なども考慮すれば、距離Ｌ３も距離Ｌ２と同様の条件を満たしていることが望ましい。すなわち、距離Ｌ３は、冷陰極線管５の歪み限界よりも短い距離であることが望ましい。
【００６０】
なお、ここでは、スペーサーピン６１と冷陰極線管５との距離について説明したが、スペーサーピン６２と冷陰極線管５との距離Ｌ２，Ｌ３についても全く同様であるので、その説明を省略する。
【００６１】
実施の形態２．
図７は、本発明の実施の形態２によるバックライト装置の要部の一構成例を示した斜視図であり、スペーサーピン６１が一体成型された反射シート７が示されている。
【００６２】
スペーサーピン６１及び反射シート７は、ともに高反射率の素材からなるため、一体成型すれば部品点数を削減し、製造コストを低減することができる。図７では、スペーサーピン６２を用いていないが、反射シート７の位置決めを正確に行うことができない場合には、実施の形態１の場合と同様、反射シート７にスペーサーピン貫通口７Ｈを設け、リアフレーム８に取り付けられたスペーサーピン６２を貫通させて位置決めしてもよい。その他の構成は実施の形態１の場合と同様である。
【００６３】
実施の形態３．
図８は、本発明の実施の形態３によるバックライト装置の要部の一構成例を示した斜視図であり、スペーサーピン６１が一体成型されたリアフレーム８が示されている。
【００６４】
樹脂成型によりリアフレーム８を形成している場合、スペーサーピン６１及びリアフレーム８を一体成型することにより、部品点数を削減し、製造コストを低減することができる。リアフレーム８の内面を高反射率にすれば、反射シート７が不要になり、更に部品点数を削減することができる。
【００６５】
【発明の効果】
本発明によれば、隣接する線状光源間であって、通常時には線状光源が当接せず、外部から衝撃を受けて撓んだ線状光源が当接する位置に光源保護部とを備えることにより、線状光源の輝度をほとんど低下させることなく、バックライト装置の耐衝撃性を向上させることができる。従って、表示品質及び耐衝撃性を両立させたバックライト装置を提供することができる。また、このようなバックライトを用いることにより、画像表示装置の耐衝撃性を向上させることができる。
【００６６】
特に、バックライト装置に比較的長い線状光源が使用される大画面の画像表示装置において耐衝撃性を著しく向上させることができる。また、輝度を低下させることなく、耐衝撃性を向上させることができるため、大画面で高輝度であることが要求されるテレビ受像機などに好適なバックライト装置が得られる。
【００６７】
また、本発明によれば、耐衝撃性を向上させたバックライト装置及び画像表示装置を安価に提供することができる。
【図面の簡単な説明】
【図１】本発明の実施の形態１によるバックライト装置の一構成例を示した分解斜視図である。
【図２】図１のバックライト装置を発光面側から見た正面図である。
【図３】冷陰極線管に垂直な切断面Ｉ−Ｉによるバックライト装置１の断面図である。
【図４】冷陰極線管に平行な切断面ＩＩ−ＩＩによるバックライト装置１の断面図である。
【図５】図１のバックライト装置を用いたテレビ受像機の一構成例を示した概略図である。
【図６】スペーサーピン６１，６２と冷陰極線管５との距離について説明するための説明図である。
【図７】本発明の実施の形態２によるバックライト装置の要部の一構成例を示した斜視図である。
【図８】本発明の実施の形態３によるバックライト装置の要部の一構成例を示した斜視図である。
【符号の説明】
１  バックライト装置
２  フロントフレーム
２Ｈ  開口部
３  光学シート
４  ランプ支持台
５  冷陰極線管
６  スペーサーピン
６Ｈ  スペーサーピン貫通口
６  スペーサーユニット
７  反射シート
７Ｈ  スペーサーピン貫通口
８  リアフレーム
１０  液晶パネル
３１  拡散シート
３２  プリズムシート
３３  偏光分離シート
６０  スペーサーベース
６１，６２  スペーサーピン
【図１】
2005019065.tif 000003
【図２】
2005019065.tif 000004
【図３】
2005019065.tif 000005
【図４】
2005019065.tif 000006
【図５】
2005019065.tif 000007
【図６】
2005019065.tif 000008
【図７】
2005019065.tif 000009
【図８】
2005019065.tif 000010